(57)【要約】  爬虫類などの動物のための日光浴ヒーター３０は、ハウジング３２と、ハウジング内の加熱要素３４と、加熱要素が開口部を通して熱を放射できるようなハウジングの底部３６の開口部４０と、取付け構造１１０と、を含む。取付け構造は、ヒーターをテラリウム２２に選択的に取り付けるために使用できる。ハウジングは、熱可塑性樹脂で製造でき、ハウジングを冷却するための通気口６４を含むことができる。ハウジングは、薄型の形状を有することができる。ヒーターは、複数の電力設定を有することができる。
2017521635.tif 000002
【特許請求の範囲】
【請求項１】
日光浴ヒーターであって、
（ａ）底部を画定しかつ内部を画定するハウジングであって、前記底部が前記内部と連通する開口部を有し、前記ハウジングが前記底部に対向するトップ部を含む、ハウジングと、
（ｂ）前記ハウジングの内部の加熱要素であって、前記加熱要素が電源に接続されかつ前記底部の前記開口部を通して熱を放射する向きに配置される、加熱要素と、
（ｃ）前記ヒーターをテラリウムに選択的に取り付けるように構成された取付け構造と、
を備え、
前記ハウジングの前記底部から前記トップ部までの高さが７.６２ｃｍ（３インチ）以下である、
日光浴ヒーター。
【請求項２】
（ａ）前記ハウジングの内部において前記底部の前記開口部を被覆する多孔性格子であって、前記格子が前記加熱要素と前記底部との間に在る、多孔性格子、
を更に備える、請求項１に記載の日光浴ヒーター。
【請求項３】
（ａ）前記ハウジングの底部が実質的に平面状である、
請求項１又は２に記載の日光浴ヒーター。
【請求項４】
（ａ）前記格子が全体的に前記ハウジングの内部に在る、
請求項２に記載の日光浴ヒーター。
【請求項５】
（ａ）前記ハウジングが、互いに嵌り合って前記内部を画定する第１外殻と第２外殻とを含み、前記第２外殻が前記底部を有する、
請求項１〜４のいずれか１項に記載の日光浴ヒーター。
【請求項６】
（ａ）前記ハウジングが通気口構造を画定する、
請求項５に記載の日光浴ヒーター。
【請求項７】
（ａ）前記通気口構造が、前記ハウジングの前記底部において複数のスロットを含む、
請求項６に記載の日光浴ヒーター。
【請求項８】
（ａ）前記通気口構造が前記第１外殻と第２外殻との間の境界面においてスロットを含む、
請求項６又は７に記載の日光浴ヒーター。
【請求項９】
（ａ）前記加熱要素に隣接する断熱構造であって、前記加熱要素が前記断熱構造と前記ハウジングの底部との間に在る、断熱構造、
を更に備える、請求項１〜８のいずれか１項に記載の日光浴ヒーター。
【請求項１０】
（ａ）前記断熱構造がセラミッククロスを備える、
請求項９に記載の日光浴ヒーター。
【請求項１１】
（ａ）前記断熱構造に隣接する熱導体、
を更に備える、請求項９又は１０に記載の日光浴ヒーター。
【請求項１２】
（ａ）前記熱導体が前記ハウジングのトップ部と前記断熱構造との間の金属板を備える、
請求項１１に記載の日光浴ヒーター。
【請求項１３】
（ａ）前記加熱要素と前記ハウジングの底部との間の温度プローブと、
（ｂ）前記温度プローブが所定の値を上回ったときに前記加熱要素から電力を遮断するための制御ロジックを有する回路基板と、
を更に備える、請求項１〜１２のいずれか１項に記載の日光浴ヒーター。
【請求項１４】
（ａ）前記加熱要素へ対する電力量を制御する電源スイッチであって、前記電源スイッチが、無電力、低電力及び高電力を含む少なくとも３つの設定を有する、電源スイッチ、
を更に備える、請求項１〜１３のいずれか１項に記載の日光浴ヒーター。
【請求項１５】
（ａ）前記低電力が約２７Ｗを含み、前記高電力が約４１Ｗを含む、
請求項１４に記載の日光浴ヒーター。
【請求項１６】
（ａ）前記取付け構造が、テラリウム上のスクリーンカバーに選択的に取付けできるように構成された、前記ハウジングの底部に選択的に固定可能な少なくとも１つの締結具を含む、
請求項１〜１５のいずれか１項に記載の日光浴ヒーター。
【請求項１７】
（ａ）前記少なくとも１つの締結具が、前記ハウジングの底部の中へネジ式に固定可能な蝶ネジを含む、
請求項１６に記載の日光浴ヒーター。
【請求項１８】
（ａ）前記取付け構造が、テラリウムの上縁に選択的に取付けできるように構成された据付けブラケットを備える、
請求項１〜１５のいずれか１項に記載の日光浴ヒーター。
【請求項１９】
（ａ）前記据付けブラケットが、前記据付けブラケットを前記ハウジングから解放するために押下げ可能なタブを含む、
請求項１８に記載の日光浴ヒーター。
【請求項２０】
（ａ）前記ハウジングの前記底部から対向するトップ部までの高さが６.３５ｃｍ（２.５インチ）以下である、
請求項１〜１９のいずれか１項に記載の日光浴ヒーター。
【請求項２１】
（ａ）前記ハウジングの前記底部から対向するトップ部までの高さが５.０８ｃｍ（２インチ）以下である、
請求項１〜２０のいずれか１項に記載の日光浴ヒーター。
【請求項２２】
（ａ）前記ハウジングの前記底部から対向するトップ部までの高さが４.４５ｃｍ（１.７５インチ）以下である、
請求項１〜２１のいずれか１項に記載の日光浴ヒーター。
【請求項２３】
（ａ）前記ハウジングが熱可塑性樹脂で製造される、
請求項１〜２２のいずれか１項に記載の日光浴ヒーター。
【請求項２４】
日光浴ヒーターであって、
（ａ）底部を画定しかつ内部を画定するハウジングであって、前記底部が前記内部と連通する開口部を有する、ハウジングと、
（ｂ）前記ハウジングの内部の加熱要素であって、前記加熱要素が電源に接続されかつ前記底部の前記開口部を通して熱を放射する向きに配置される、加熱要素と、
（ｃ）前記ヒーターをテラリウムに選択的に取り付けるために使用可能な取付け構造であって、前記取付け構造が
（ｉ）テラリウム上のスクリーンカバーに選択的に取付けできるようにする締結具、及び
（ｉｉ）テラリウムの上縁に選択的に取付けできるように構成された据付けブラケット
の両方を含む、取付け構造と、
を備える、日光浴ヒーター。
【請求項２５】
（ａ）前記締結具が前記ハウジングの底部の中へネジ式に固定可能な蝶ネジを含む、
請求項２４に記載の日光浴ヒーター。
【請求項２６】
（ａ）前記据付けブラケットが、前記据付けブラケットを前記ハウジングから解放するために押下げ可能なタブを含む、
請求項２４又は２５に記載の日光浴ヒーター。
【請求項２７】
（ａ）前記加熱要素に対する電力量を制御する電源スイッチであって、前記電源スイッチが無電力、低電力及び高電力を含む少なくとも３つの設定を有する、電源スイッチ、
を更に備える、請求項２４〜２６のいずれか１項に記載の日光浴ヒーター。
【請求項２８】
日光浴ヒーターであって、
（ａ）底部を画定しかつ内部を画定するハウジングであって、前記底部が前記内部と連通する開口部を有する、ハウジングと、
（ｂ）前記ハウジングの内部の加熱要素であって、前記加熱要素が電源に接続されかつ前記底部の前記開口部を通して熱を放射する向きに配置される、加熱要素と、
（ｃ）前記加熱要素に対する電力量を制御する電源スイッチであって、前記電源スイッチが無電力、低電力及び高電力を含む少なくとも３つの設定を有する、電源スイッチと、
を備える、日光浴ヒーター。
【請求項２９】
（ａ）前記ヒーターをテラリウムに選択的に取り付けるように構成された取付け構造、
を更に備える、請求項２８に記載の日光浴ヒーター。
【請求項３０】
（ａ）前記取付け構造が、テラリウム上のスクリーンカバーに選択的に取付けできるように構成された、前記ハウジングの底部に選択的に固定可能な少なくとも１つの締結具を含む、
請求項２９に記載の日光浴ヒーター。
【請求項３１】
（ａ）前記取付け構造が、テラリウムの上縁に選択的に取付けできるように構成された据付けブラケットを備える、
請求項２９に記載の日光浴ヒーター。
【請求項３２】
（ａ）前記ハウジングが前記底部に対向するトップ部を含み、前記ハウジングの前記底部から前記トップ部までの高さが７.６２ｃｍ（３インチ）以下である、
請求項２４〜３１のいずれか１項に記載の日光浴ヒーター。
【請求項３３】
（ａ）前記ハウジングの前記底部から対向するトップ部までの高さが６.３５ｃｍ（２.５インチ）以下である、
請求項３２に記載の日光浴ヒーター。
【請求項３４】
（ａ）前記ハウジングの前記底部から対向するトップ部までの高さが５.０８ｃｍ（２インチ）以下である、
請求項３２に記載の日光浴ヒーター。
【請求項３５】
（ａ）前記ハウジングの前記底部から対向するトップ部までの高さが４.４５ｃｍ（１.７５インチ）以下である、
請求項３２に記載の日光浴ヒーター。
【請求項３６】
（ａ）前記ハウジングの内部において前記底部の前記開口部を被覆する多孔性格子であって、前記格子が前記加熱要素と前記底部との間に在る、多孔性格子、
を更に備える、請求項２４〜３５のいずれか１項に記載の日光浴ヒーター。
【請求項３７】
（ａ）前記ハウジングの底部が実質的に平面状である、
請求項２４〜３６のいずれか１項に記載の日光浴ヒーター。
【請求項３８】
（ａ）前記格子が全体的に前記ハウジングの内部に在る、
請求項３６に記載の日光浴ヒーター。
【請求項３９】
（ａ）前記ハウジングが、互いに嵌り合って前記内部を画定する第１外殻と第２外殻とを含み、前記第２外殻が前記底部を有する、
請求項２４〜３８のいずれか１項に記載の日光浴ヒーター。
【請求項４０】
（ａ）前記ハウジングが通気口構造を画定する、
請求項３９に記載の日光浴ヒーター。
【請求項４１】
（ａ）前記通気口構造が、前記ハウジングの前記底部において複数のスロットを含む、
請求項４０に記載の日光浴ヒーター。
【請求項４２】
（ａ）前記通気口構造が前記第１外殻と第２外殻との間の境界面においてスロットを含む、
請求項４０又は４１に記載の日光浴ヒーター。
【請求項４３】
（ａ）前記加熱要素に隣接する断熱構造であって、前記加熱要素が前記断熱構造と前記ハウジングの底部との間に在る、断熱構造、
を更に備える、請求項２４〜４２のいずれか１項に記載の日光浴ヒーター。
【請求項４４】
（ａ）前記断熱構造に隣接する熱導体、
を更に備える、請求項４３に記載の日光浴ヒーター。
【請求項４５】
（ａ）前記熱導体がハウジングのトップ部と前記断熱構造との間の金属板を備える、
請求項４４に記載の日光浴ヒーター。
【請求項４６】
（ａ）前記加熱要素と前記ハウジングの底部との間の温度プローブと、
（ｂ）前記温度プローブが所定の値を上回ったときに前記加熱要素から電力を遮断するための制御ロジックを有する回路基板と、
を更に備える、請求項２４〜４５のいずれか１項に記載の日光浴ヒーター。
【請求項４７】
（ａ）前記低電力が約２７Ｗを含み、前記高電力が約４１Ｗを含む、
請求項２７〜３１のいずれか１項に記載の日光浴ヒーター。
【請求項４８】
（ａ）前記ハウジングが熱可塑性樹脂で製造される、
請求項２４〜４７のいずれか１項に記載の日光浴ヒーター。
【請求項４９】
テラリウムの中の動物を温める方法であって、
（ａ）前記テラリウムのトップ部から放射熱を与える位置において前記テラリウムに日光浴ヒーターを取外し可能に取り付けるステップであって、前記日光浴ヒーターが請求項１〜４８のいずれか１項に記載の日光浴ヒーターを含む、ステップ、
を含む、方法。
【請求項５０】
テラリウムとヒーターとの結合体であって、
（ａ）テラリウムが、底部と、前記底部から延びて内部容積を囲繞する周囲壁と、前記内部容積へのアクセスを与える開放トップ部とを有する、テラリウムと、
（ｂ）前記テラリウムに取外し可能に取り付けられかつ前記開放トップ部から前記テラリウムの内部容積の中へ放射熱を与えるように位置付けられた、請求項１〜４８のいずれか１項に記載の日光浴ヒーターと、
を備える結合体。
【発明の詳細な説明】
【技術分野】
【０００１】
本出願は、ＰＣＴ国際特許出願として２０１５年６月１５日に提出される、及び、２０１４年６月１９日に提出された米国仮特許出願第６２／０１４３７０号（その開示の全体が参照により本明細書に援用される）に対する優先権を主張する。
【０００２】
本開示はヒーターに関する。特に、本開示は、テラリウムに選択的かつ取外し可能に取付けできる日光浴ヒーターに関する。
【背景技術】
【０００３】
テラリウム／爬虫類用日光浴ヒーターは、動物の上方から放射熱を与えるヒーターである。典型的な先行技術の日光浴ヒーターは、概ね大型で魅力のないドーム灯を含む。ドームは、典型的には、触れたときドームが熱くなりすぎるのを防止するために金属糸である。
【発明の概要】
【発明が解決しようとする課題】
【０００４】
必要とされるのは、先行技術の問題を解決する日光浴ヒーターである。例えば、必要とされるのは、ヒーターのハウジングが触れても熱くなりすぎないようにしながら、サイズを小さくし美的魅力を増大する日光浴ヒーターである。
【課題を解決するための手段】
【０００５】
提供される日光浴ヒーターは、底部を画定しかつ内部を画定するハウジングであって、底部が内部と連通する開口部を有し、ハウジングが底部に対向するトップ部を含む、ハウジングと、ハウジングの内部の加熱要素であって、加熱要素が電源に接続される、加熱要素と、ヒーターをテラリウムに選択的に取り付けるように構成された取付け構造と、を含む。ハウジングの底部からトップ部までの高さは７.６２ｃｍ（３インチ）以下とすることができる。
【０００６】
提供される日光浴ヒーターは、底部を画定しかつ内部を画定するハウジングであって、底部が内部と連通する開口部を有する、ハウジングと、ハウジングの内部の加熱要素であって、加熱要素が電源に接続されかつ底部の開口部を通して熱を放射する向きに配置される、加熱要素と、ヒーターをテラリウムに選択的に取り付けるために使用可能な取付け構造であって、取付け構造が、テラリウム上のスクリーンカバーに選択的に取付けできるようにする締結具及びテラリウムの上縁に選択的に取付けできるように構成された据付けブラケットの両方を含む、取付け構造と、を含む。
【０００７】
提供される日光浴ヒーターは、底部を画定しかつ内部を画定するハウジングであって、底部が内部と連通する開口部を有する、ハウジングと、ハウジングの内部の加熱要素であって、加熱要素が電源に接続されかつ底部の開口部を通して熱を放射する向きに配置される、加熱要素と、加熱要素に対する電力量を制御する電源スイッチであって、電源スイッチが無電力、低電力及び高電力を含む少なくとも３つの設定を有する、電源スイッチと、を含む。
【０００８】
ハウジング底部は、実質的に平面状とすることができる。
【０００９】
格子は、完全にハウジング内部に配置できる。
【００１０】
ハウジングは、互いに嵌り合って内部を画定する第１外殻（shell）と第２外殻とを含んでもよく、第２外殻は底部を有する。
【００１１】
ハウジングは、通気口構造を画定できる。
【００１２】
通気口構造は、ハウジングの底部に複数のスロットを含むことができる。
【００１３】
通気口構造は、第１外殻と第２外殻との間の境界面にスロットを含むことができる。
【００１４】
いくつかの実施形態において、加熱要素に隣接して断熱構造が在り、加熱要素は、断熱構造と多孔性格子との間にある。
【００１５】
断熱構造は、セラミッククロスを含むことができる。
【００１６】
熱導体は、断熱構造に隣接してもよい。
【００１７】
ハウジングは、底部に対向するトップ部を含み、熱導体は、ハウジングトップ部と断熱構造との間に金属板を含むことができる。
【００１８】
いくつかの実施形態において、加熱要素と多孔性格子との間の温度プローブと、温度プローブが設定値を上回ったときに加熱要素から電力を遮断するための制御ロジックを有する回路基板と、を備えることができる。
【００１９】
いくつかの構造において、加熱要素に対する電力量を制御するために電源スイッチが設置される。
【００２０】
電源スイッチは、いくつかの実施形態においてオン／オフ（例えば電力供給又は無電力）スイッチのみを有することができ、他の実施形態においては、電源スイッチは、無電力、低電力及び高電力を含めて少なくとも３つの設定を有することができる。
【００２１】
低電力は約２７Ｗを含み、高電力は約４１Ｗを含むことができる。
【００２２】
取付け構造は、テラリウム上のスクリーンカバーに選択的に取付けできるように構成された、ハウジング底部に選択的に固定可能な少なくとも１つの締結具を含むことができる。
【００２３】
少なくとも１つの締結具は、ハウジング底部の中へネジ式に固定できる蝶ネジを含むことができる。
【００２４】
取付け構造は、テラリウムの上縁に選択的に取付けできるように構成された据付けブラケットを含むことができる。
【００２５】
据付けブラケットは、据付けブラケットをハウジングから解放するために押下げ可能なタブを有することができる。
【００２６】
ハウジングの底部から対向するトップ部までの高さは、６.３５ｃｍ（２.５インチ）以下とすることができる。
【００２７】
ハウジングの底部から対向するトップ部までの高さは、５.０８ｃｍ（２インチ）以下とすることができる。
【００２８】
ハウジングの底部から対向するトップ部までの高さは、４.４５ｃｍ（１.７５インチ）以下とすることができる。
【００２９】
ハウジングは熱可塑性樹脂で製造できる。
【００３０】
使用方法は、本明細書において様々に特徴付けるように、テラリウムのトップ部から放射熱を与える位置において日光浴ヒーターをテラリウムに取外し可能に取り付けることを含む。
【００３１】
提供されるテラリウムは、底部と、底部から延びて内部容積を囲繞する周囲壁と、内部容積へのアクセスを与える開放トップ部とを有し、本明細書において特徴付けられるように、日光浴ヒーターは、テラリウムに取外し可能に取り付けられ、開放トップ部からテラリウム内部容積の中へ放射熱を与えるように位置付けられる。
【００３２】
望ましい製品特徴又は方法の多様な実施例が、部分ごとに以下の説明において示され、部分ごとに説明から明らかになり、又は、開示の様々な形態を実施することによって習得され得る。開示の形態は、個別の特徴及び特徴の組み合わせに関連し得る。上記の概要及び以下の詳細な説明の両方は、説明のためだけのものであり、本発明を限定するものではないことが理解されるべきである。
【図面の簡単な説明】
【００３３】
【図１】本開示の原則に従って、第１の様式でテラリウムに据え付けられた日光浴ヒーターの概略図である。
【図２】本開示の原則に従って、第２の様式でテラリウムに据え付けられた日光浴ヒーターの概略図である。
【図３】図１及び図２の日光浴ヒーターの実施形態の側面図である。
【図４】図３の日光浴ヒーターの底面図である。
【図５】図３及び図４の日光浴ヒーターの下方斜視図である。
【図６】図３〜図５の日光浴ヒーターの上方斜視図である。
【図７】図３〜図５の日光浴ヒーターの端面図である。
【図８】図３〜図７の日光浴ヒーターの下方斜視分解図である。
【図９】図３〜図８の日光浴ヒーターの上方斜視分解図である。
【図１０】図３〜図８の日光浴ヒーターの断面図である。
【図１１】ハウジングの一部及びクランプ組立体の拡大分解斜視図である。
【発明を実施するための形態】
【００３４】
Ａ．概説、図１及び図２
【００３５】
図１及び図２は、テラリウムとヒーターとの結合体２０を示す。テラリウム２２は、例えば水生カメ、ヘビ（例えば、ボールパイソン、ビルマパイソン、ミルクヘビ、アマゾンツリーボア、アカオボア、アカダイショウ）、トカゲ、アゴヒゲトカゲ、アノールトカゲ、ヒョウモントカゲモドキなどを含めて様々な種類の爬虫類などのペットを飼育するために使用できる。
【００３６】
テラリウム２２は、底部２３と、底部２３から延びて内部容積２５を囲繞する周囲壁２４と、内部容積２５へのアクセスを与える開放トップ部２６と、を有する。開放トップ部２６は、フレーム付き又はフレーム無しとすることができる。
【００３７】
開放トップ部２６を通過してテラリウム２２を離れることができるペット（例えば、ヘビ）を飼育するために、いくつかのテラリウム２２は、開放トップ部２６を覆うスクリーンカバー２８を有する（図１）。
【００３８】
図１及び図２において、日光浴ヒーター３０を見ることができる。日光浴ヒーター３０は、テラリウム２２に取外し可能に取り付けられ、開放トップ部２６からテラリウム内部容積２５の中へ放射熱を与えるように位置付けられる。
【００３９】
日光浴ヒーター３０は、テラリウム２２に取外し可能に取り付けできる。「取外し可能に取り付ける」とは、ヒーター３０が、ヒーター３０及び／又はテラリウム２２を破壊又は破損することなくテラリウム２２から繰り返し取付け取外しできることを意味する。
【００４０】
日光浴ヒーター３０は、多様な様式でテラリウム２２に取外し可能に取り付けできる。図１に示す実施例において、ヒーター３０は、スクリーンカバー２８に取り付けられる。図１において、ヒーター３０がスクリーンカバー２８に接して取り付けられていることが分かる。図２に示す実施例において、ヒーター３０は、開放トップ部２６を画定する縁２７に隣接してテラリウム２２の周囲壁２４に取り付けられている。
【００４１】
好ましい実施形態において、ヒーター３０は、加熱要素が低熱伝導率の材料（例えばセラミック）によってハウジング側面において断熱されるように、及び、放熱金属を使用してかつヒーター３０の側面及びトップ部の通気口によって可能になる対流によってエネルギーを発散して熱エネルギーが加熱要素のトップ部に沿って概ね均等に分散するように、構成され配置される。従来のヒーターはこの構成を使用するほどスリムには作れない、何故ならば、安全であるには表面が熱くなり過ぎ得るからである。これらの特徴については、Ｂ節においてさらに詳細に説明する。
【００４２】
Ｂ．実施形態例、図３〜図１１
【００４３】
好ましい実施形態において、日光浴ヒーター３０は、ハウジング３２を含む。ハウジング３２は、好ましくは熱可塑性樹脂などの断熱材料から製造する。ヒーター３０は、日光浴する動物（爬虫類）へ向けて下方へ熱を送る加熱要素３４を含む。加熱要素３４は、セラミック、酸化亜鉛被覆ガラス、赤外線ランプ、ニクロム線放射要素などとすることができる。
【００４４】
好ましい実施形態において、ヒーター３０は、先行技術の金属糸ドーム灯より小さくなる。ヒーター３０において断熱部材及び放熱器を使用することによって、ホットスポットを最小限に抑え又は排除して、技術的に設計された対流通気口を介して熱を消散させる。その結果、先行技術より低い熱伝導率を有するハウジング３２を有する、輪郭がより低く（７.６２ｃｍ（３インチ）未満、典型的には６.３５ｃｍ（２.５インチ）未満、好ましくは５.０８ｃｍ（２インチ）未満の全体高さ、いくつかの実施形態においては４.４４５ｃｍ（１.７５インチ）未満の全体高さ）、より小さく、より独特で、見た目がより良いヒーター３０が得られる。
【００４５】
ハウジング３２は、底部３６を画定する。図示する実施例において、底部３６は、実質的に概ね平面状であり平坦である。他の構造も可能であるが、概ね平坦で、平面状の底部３６を有することによって、特にテラリウム２２がスクリーンカバー２８で被覆された場合、ヒーター３０とテラリウム２２との間の最大限の伝熱が得られる。
【００４６】
ハウジング３２は、内部３８を画定する（図１０）。内部３８は、加熱要素３４を保持するものである。
【００４７】
底部３６は、開口部４０を有する（図４、図５、図８及び図９）。開口部４０は、内部３８と連通する。
【００４８】
加熱要素３４は電源４２に接続され、図１及び図２に示す実施例において、電源はコンセントである。図３〜図６において、電力コード４４がハウジング３２から延びていることを見ることができる。電力コード４４は、適切なコンセントに差し込まれると、スイッチ１０８へ電力を供給する（以下でさらに説明する）。好ましい実施形態において、スイッチにおいて、加熱要素３４へ電力を選択的に与えることができる。
【００４９】
本開示の原則によれば、ヒーター３０は、多孔性格子４６を有する。多孔性格子４６は、ハウジング内部３８において底部３６の開口部４０を被覆する。格子４６は、加熱要素３４と底部３６との間に在る。格子４６は、多孔性格子４６のどの部分もハウジング３２の境界の外へ延びないように、好ましくは全体がハウジング内部３８にある。多孔性格子４６は、好ましくは金属で製造される。
【００５０】
ヒーター３０が偶発的にテラリウム２２から床へ落下した場合、格子４６のどの部分も直接床に触れずかつ床に触れるヒーター３０のどの部分も過剰に熱くないように、多孔性格子４６は、ハウジング３２内部に収容される。この構造の別の利点として、多孔性格子４６はハウジング３２の内部に設置されるので、テラリウム２２と共に使用されるとき、ヒーター３０をスクリーンカバー２８に直接据え付けることができる。
【００５１】
ハウジング３２は、ハウジング底部３６に対向するトップ部４８を含む。図６は、熱の放射のため及び強度のために複数の薄型のリブ４９を有するハウジングトップ部４８を示すが、他の実施形態も可能である。薄型のリブ４９を除けば、ハウジングトップ部は概ね平坦である。ハウジングトップ部４８とハウジング底部３６との間の全体距離は、７.６２ｃｍ（３インチ）以下、典型的には６.３５ｃｍ（２.５インチ）以下、好ましくは５.０８ｃｍ（２インチ）以下及びいくつかの実施形態においては４.４４５ｃｍ（１.７５インチ）以下である。従って、ヒーター３０は薄型であり、先行技術の日光浴ヒーターより見た目が良い。
【００５２】
ハウジング３２の多くの実施形態が可能である。本実施形態において、ハウジング３２は、互いに嵌り合ってハウジング内部３８を画定する第１外殻５０と第２外殻５２を含む。第１外殻５０は、ハウジングトップ部４８を画定し、第２外殻は、ハウジング底部３６を画定する。
【００５３】
図８及び９を参照すると、第１外殻５０はハウジングトップ部４８を含み、ハウジングトップ部４８から概ね長方形構成で周囲側壁５４が延びる。上述のように、ハウジングトップ部４８は、熱の放射を助けホットスポットを防止するために複数のリブ４９を含むことができる。
【００５４】
第２外殻５２は、ハウジング底部３６から概ね長方形構成で延びる周囲側壁５８を含む。第１外殻５０と第２外殻５２とは、例えばスクリュー６０（図４及び図８）によって一緒に固定できる。図４において、スクリュー６０が底面から見て第２外殻５２を通過して突出していることを見ることができる。ネジ切りされた開口部６２（図８）は、スクリュー６０を受け入れるための第１外殻５０の一部である。第１外殻５０と第２外殻５２とが一緒に接続されたとき、ハウジング３２は、４つの側面７０、７１、７２、７３を画定する。
【００５５】
本開示の原則によれば、ハウジング３２は、通気口構造６４（図５）を画定する。通気口構造６４は、対流による熱の消散を可能にする。多くの実施形態が可能である。
【００５６】
１つの実施例において、通気口構造６４は、複数のスロット６６を含む。スロット６６は、ハウジング３２の底部３６に在る。図４には、４つのスロット６６を示す。スロット６６は、内部構成要素への冷却空気循環のための通気道（flue）を与える。
【００５７】
通気口構造６４は、第１外殻５０と第２外殻５２との間の境界面にスロット６８を含むことができる。図３、図５、図６及び図７において、第１外殻５０と第２外殻５２との間の境界面のスロット６８は、好ましくは、ハウジング３２の４つの側面７０、７１、７２、７３の少なくとも３つに沿って在ることが分かる。図示する実施形態において、スロット６８は側面７０、７１及び７２に沿って在る。
【００５８】
第１外殻５０は、第１外殻５０と第２外殻５２とがスクリュー６０で作動可能に相互に固定されたとき、隔離部７５、７６がギャップを与えて、第１外殻５０と第２外殻５２との間にスロットを画定するように、１対の隔離部７５、７６（図３、図５及び図６）を含む。好ましくは、スロット６８は、人の指が入るほど大きくない開口部である。例えば、スロットは５ミリメートル以下の幅である。
【００５９】
本開示の原則によれば、ヒーター３０は、好ましくは断熱構造７８を含む（図８及び図９）。断熱構造７８は、加熱要素３４に隣接できる。加熱要素３４は、断熱構造７８と多孔性格子４６との間に在る。断熱構造７８は、ハウジングトップ部４８及び概ねハウジング３２の上部がより低温であることを確実にする。
【００６０】
１つの実施例において、断熱構造７８は、セラミッククロス８０を含む。セラミッククロス８０は、加熱要素３４とハウジングトップ部４８との間の容積を満たすセラミック屈折性材料（ceramic refractive material）として、ハウジング３２の上部露出面を断熱するように作用できる。セラミッククロス８０は、熱の流れに関して意図されていない方向において、熱の流れに対するバリアを与える。図８及び図９に示す実施例において、セラミッククロス８０は、２つのピース即ち長方形のピース８４及びフレームピース８２として示されている。当然、これは単なる一例であり、多くの実施形態が可能である。
【００６１】
ヒーター３０は、更に、熱導体８６を含むことができる（図８及び図９）。熱導体８６は、より広い面積に残留熱を拡散する道を与えて、高温エリア又はホットスポットを減少するのに役立つ。図示する実施形態において、熱導体８６は、金属板８８を備える。金属板８８は、ハウジングトップ部４８とセラミッククロスの長方形ピース８４との間に作動可能に設置される。更に、ハウジングトップ部４８の内面９０と金属板８８との間でこれらに対して設置された、更なるセラミッククロスなどの断熱材８７を含むことができる（図１０）。
【００６２】
本開示の原則によれば、日光浴ヒーター３０は、更に温度プローブ９２を含むことができる。温度プローブ９２は、加熱要素３４からの放射熱の経路に方向付けられる。ヒーター３０が平坦面上に設置され、底部３６が適切な換気なしに平坦面に接して方向付けられている場合、温度プローブ９２の温度が上昇して、加熱要素３４への電力が遮断される。この温度プローブ９２は、ヒーターが家具又はフロアリングを焼く又は焦がすことを防止することを目的としている。
【００６３】
図示する実施形態において、温度プローブ９２は、加熱要素３４と多孔性格子４６との間に在る。図８及び図９において、回路基板９４がヒーター３０の一部であることが分かる。回路基板９４は、温度プローブ９２が設定値を上回ったときに加熱要素３４から電力を遮断するための制御ロジックを有するロジックチップを含む。
【００６４】
更に図８及び図９を参照すると、ヒーター３０の他の内部構成要素が図示される。第１フレームピース９６は、加熱要素３４と第２フレームピース９８との間に示される。第２フレームピース９８は、温度プローブ９２を保持する。第１フレームピース９６は、加熱要素３４からの直接放射熱から温度プローブ９２を保護するために突出シールド１００を含む。第１フレームピース９６は、打抜きシートメタルから製造でき、第２フレームピース９８内に置かれる。
【００６５】
第２フレームピース９８は、熱可塑性樹脂などのプラスチックから製造できる。第２フレームピース９８は、加熱要素から離れてハウジング底部３６へ向かう方向に延びる複数の脚１０２を含む。図示する脚１０２は、第２フレームピース９８の４つの側面の各々に在る。脚１０２は、第２外殻５２の底部３６の内面１０４に対して所定の場所に多孔性格子４６を拘束又は保持するために使用できる。
【００６６】
図８及び図９は、第３フレームピース１０６も示す。第３フレームピース１０６は、好ましくは、第２フレームピース９８の３つの側面を囲繞する。第３フレームピース１０６は、金属で製造でき、上部の第１外殻５０と第２外殻５２との間の境界面のスロット６８を通して見ることができる。
【００６７】
更に、図８及び図９では、以下でさらに説明するクランプ１２０と共に使用できるクランププレート１５８を見ることができる。
【００６８】
本開示の原則によれば、ヒーター３０は、電源スイッチ１０８を含む。電源スイッチ１０８は、加熱要素３４へ供給される電力量を制御する。単純な形式において電源スイッチ１０８は単にオン／オフの切替えを提供することができるが、好ましい実施形態において、電源スイッチ１０８は、少なくとも３つの設定を有する。３つの設定は、無電力、低電力及び高電力を含む。
【００６９】
高電力設定における公称電力は、約４１Ｗ±１０％とすることができる。低電力設定における公称電力は、約２７Ｗ±１０％とすることができる。ワット数は、加熱要素３４の底部３６から２５.４ｃｍ（１０インチ）における検査済み目標日光浴温度に対応する。熱帯性爬虫類は、約２９．４℃（約８５°Ｆ）の日光浴を好み、砂漠の爬虫類は、最高４０．６℃（１０５°Ｆ）で日光浴するのを好む。高電力設定は、砂漠の爬虫類に適合し、低電力設定は熱帯性爬虫類及びカメに適合する。種に基づく日光浴温度は、下記のとおりである。
【００７０】
【表１】
2017521635.tif 000003
【００７１】
好ましい実施形態において、加熱要素３４は、定常温度に到達するまでに時間が掛かる可能性がある。いくつかの実施形態において、加熱要素は、特に最初にオンにされたときには、点灯しないか、又は、オンであることを熱によって以外には示さない。ＬＥＤなどの表示灯は、ヒーターがオンであり設定された温度であることを最終使用者にフィードバックするために、ハウジングトップ部４８を通して、ハウジング３２上のｈｉｇｈ及びｌｏｗの字句のそばを照らす。電源スイッチ１０８は、好ましくはハイ、オフ及びローの位置を有する３位置スイッチである。
【００７２】
本開示の原則によれば、日光浴ヒーター３０は、ヒーター３０をテラリウム２２に選択的に取り付けるように構成された据付け又は取付け構造１１０（図４及び図５）を含む。多くの実施形態が可能である。取付け構造１１０は、ばねクランプだけを使用する先行技術の構造とは対照的に、例えばコードの引っ張り又は偶発的衝突に対して安全に取り付けられるようにする。
【００７３】
取付け構造１１０の第１実施形態において、取付け構造１１０は、ハウジング底部３６に選択的に固定可能な少なくとも１つの締結具１１２を含む（図８及び図９）。締結具１１２は、テラリウム２２上のスクリーンカバー２８に選択的に取付けできるように構成される。
【００７４】
本明細書において説明する実施形態において、締結具１１２は、ハウジング底部３６の中へネジ式に固定できる蝶ネジ１１４を含む。図示する実施例において、蝶ネジ１１４は、第１及び第２蝶ネジ１１４、１１５を含む。
【００７５】
ヒーター３０をスクリーンカバー２８に取り付ける際、蝶ネジ１１４、１１５をハウジング３２から取り外す。ヒーター３０は、スクリーンカバー２８に直接取り付けられ、その後、蝶ネジ１１４、１１５が、スクリーンカバー２８を通してハウジング３２の中へネジ式に固定される。これによって、ヒーター３０をスクリーンカバー２８に直接取り付けて、効果的な熱伝達を可能にできる（図１参照）。ヒーター３０をスクリーンカバー２８に取り付けることによって、ヒーターを片側に置く必要なしに（熱を処理するためではない物の上である可能性がある）、片手でスクリーンカバー２８を操作できるようにするので、その安全性を強化する。
【００７６】
代替の取付け構造１１０が使用される実施例において、蝶ネジ１１４、１１５が使用されない場合、蝶ネジ１１４、１１５は、図５に示すようにハウジング底部３６と同一平面に取付け可能である。蝶ネジ１１４、１１５は、開口部４０に隣接して第２外殻５２のハウジング底部３６において取付け可能である。
【００７７】
別の実施形態において、取付け構造１１０は、テラリウム２２の上縁２７に選択的に取付けできるように構成された据付けブラケット１２０を備える。ブラケット１２０は、ハウジング３２をブラケット１２０から取り外したいとき、据付けブラケット１２０をハウジング３２から解放するための押下げ可能タブ１２２を含む。ハウジング３２をブラケット１２０から解放するためにはタブ１２２を押し下げなければならないので、ヒーター３０が衝突したとき又は電力コード４４が引っ張られたとき、偶発的解放又は水没の可能性をなくす。
【００７８】
据付けブラケット１２０の多くの実施形態が可能である。図示する実施形態において、据付けブラケット１２０は、第１ブラケット部材１２４を含む。第１ブラケット部材１２４は、相互に概ね直交するトッププレート１２６とサイドプレート１２８とを含むＬ字形の輪郭を有する。トッププレート１２６は、ばねタブ１２２を画定しており、ばねタブは、トッププレート１２６の残り部分へ向かって及びこれから離れるように偏向可能である。
【００７９】
据付けブラケット１２０は、更に、第２ブラケット部材１３０を含む。図１１において、第２ブラケット部材１３０が上縁１３２に沿ってどのようにスライドレール１３４、１３５を画定するかが分かる。スライドレール１３４、１３５は、第１ブラケット部材１２４のトッププレート１２６の縁を受け入れる。このようにして、第２ブラケット部材１３０は、第１ブラケット部材１２４を滑動可能に保持する。
【００８０】
第２ブラケット部材１３０は、第１ブラケット部材１２４と第２ブラケット部材１３０とが相互に接続されたとき、サイドプレート１２８に対面するＣ字形開口部１３６を画定する。Ｃ字形開口部１３６は、テラリウム２２のフレームを収容できる。さらに、テラリウム２２がフレームを持たない場合、テラリウム２２の周囲壁２４は、第１ブラケット部材１２４に対面する壁１４０と第１ブラケット部材１２４のサイドプレート１２８との間の空間１３８内に嵌まる。
【００８１】
据付けブラケット１２０は、更に、調節ノブ１４４を有するネジが切られたボルト１４２を含む。ボルト１４２は、第１ブラケット部材１２４のサイドプレート１２８の穴１４６を通過して、第２ブラケット部材１３０のネジが切られた開口部１４８によって受け入れられる。第１ブラケット部材１２４は、フレームの有無にかかわらず、テラリウム２２の周囲壁２４の適切な厚みに適合するように空間１３８を調節するために、第２ブラケット部材１３０のスライドレール１３４、１３５内で滑動できる。ひとたび周囲壁２４が第２ブラケット部材１３０と第１ブラケット部材１２４のサイドプレート１２８との間の空間１３８の中に嵌合したら、ボルト１４２がネジが切られた開口部１２８内で移動するようにノブ１４４を回すことができ、これによって、第２ブラケット部材１３０がテラリウム２２の周囲壁２４の内面に締め付けられるとき、サイドプレート１２８を周囲壁２４の外面に締め付ける。
【００８２】
上述のように、タブ１２２は、据付けブラケット１２０をハウジング３２から解放するために使用される。図６、図８、図９及び図１１において、ハウジング３２の第２外殻５２がトッププレート１２６を受け入れるためのスロット１５０をどのように含んでいるかが分かる。スロット１５０は、押下げ可能なタブ１２２を収容するためにスロット１５０の一部分に沿ってより高い開口部１５１（図１１）を有する。トッププレート１２６がスロット１５０へ挿入されるとき、タブ１２２はトッププレート１２６の残り部分へ向かう方向に偏向する。トッププレート１２６が、タブ１２２の突起部１５２がハウジング３２内部に受け入れられるのに充分な距離挿入されたのち、タブ１２２はトッププレート１２６の残り部分から離れるように偏向するので、突起部１５２は、クランププレート１５８を圧して上向きに（図１０の向きで）偏向して、ハウジング３２の内側キャッチ面１５４（図１０）を捕捉又は係合する。ハウジング３２を据付けブラケット１２０から解放する際、タブ１２２の自由端１５６をトッププレート１２６の残り部分へ向かう方向へ押す。これによって突起部１５２は移動して、内側キャッチ面１５４との係合から外れ、ブラケット部材１２０をハウジング３２のスロット１５０から外せる。
【００８３】
日光浴ヒーター３０は、テラリウムの中の動物を温めるために使用できる。方法は、テラリウム２２のトップ部２６から放射熱を与える位置において日光浴ヒーター３０をテラリウム２２に取外し可能に取り付けることを含む。日光浴ヒーター３０は、上述の原則に従って構成できる。
【００８４】
上述のことは、本開示の原則を表す。これらの原則を用いて、多くの実施形態を実施できる。
【図１】
2017521635.tif 000004
【図２】
2017521635.tif 000005
【図３】
2017521635.tif 000006
【図４】
2017521635.tif 000007
【図５】
2017521635.tif 000008
【図６】
2017521635.tif 000009
【図７】
2017521635.tif 000010
【図８】
2017521635.tif 000011
【図９】
2017521635.tif 000012
【図１０】
2017521635.tif 000013
【図１１】
2017521635.tif 000014
【国際調査報告】
2017521635.tif 000015
2017521635.tif 000016
2017521635.tif 000017
2017521635.tif 000018
2017521635.tif 000019